(57)【要約】【課題】確実に喉の保湿をすることができ、例えば睡眠時のような長時間使用でもトラブルが生じない保湿マスクを提供する。【解決手段】マスク本体２が通気性のシート状素材から形成され、口と対面する領域Ａの左右部に、それぞれ上下に細長く延びる第１息抜き開口４が設けられ、上記両第１息抜き開口４の間の口と対面する領域Ａには、息抜き用の穴や開口が設けられていない。これにより、装着した状態で、口の前面は、通気性のシート状素材から形成されたマスク本体２で覆われるため、呼気がマスク内に充満してその湿気により喉の乾燥が防止されて保湿される。また、吸気の際には上記第１息抜き開口４から空気が自然に導入され、息苦しさを全く感じず、長時間使用による保湿性能の低下の心配もない。したがって、例えば睡眠中であっても、無意識に外してしまうトラブルが避けられ、確実に喉を保湿して守ることができる。【選択図】図１
2012040163.tif 000002
【特許請求の範囲】
【請求項１】
マスク本体が通気性のシート状素材から形成され、口と対面する領域の左右部に、それぞれ上下に細長く延びる第１息抜き開口が設けられ、上記両第１息抜き開口の間の口と対面する領域には、息抜き用の穴や開口が設けられていないことを特徴とする保湿マスク。
【請求項２】
上記両第１息抜き開口の口と対面する領域側に、上記第１息抜き開口に沿って上下に延びる形状保持部材が取り付けられている請求項１記載の保湿マスク。
【請求項３】
上記両第１息抜き開口の間の、口と対面する領域の上部に、左右に細長く延びる第２息抜き開口が設けられている請求項１または２記載の保湿マスク。
【発明の詳細な説明】
【技術分野】
【０００１】
本発明は、例えば、鼻炎時等のように口呼吸となってしまうときに装着することにより喉の乾燥を防止する保湿マスクに関するものである。
【背景技術】
【０００２】
鼻炎や花粉症のときのように、鼻での呼吸がしづらいときは、どうしても口で呼吸してしまうこととなる。このような口呼吸となりやすいとき、起きているときであれば、適宜水分を摂取したり吸入器を用いたりして喉を湿らせることができるが、睡眠時にはそのようにはいかず、どうしても喉が乾燥して痛めやすいという問題がある。
【０００３】
このような喉の乾燥を防止するマスクとして、例えば、下記の特許文献１および２に示すものが開示されている。
【０００４】
上記特許文献１に記載の加湿マスクは、内マスク半体と外マスク半体の２重構造とし、内マスク半体および外マスク半体の鼻孔や口に対応する部分に呼吸孔をあけ、上記呼吸孔の部分における内マスク半体と外マスク半体の間に、水分を含浸させた保水性の通気シートを挟んで構成したものである。
【０００５】
上記特許文献２に記載のマスクは、折畳可能な嘴状のカップ体に形成され、カップ体における鼻孔や口に対面する頂部に、フィルタおよび小孔を形成するように構成したものである。
【先行技術文献】
【特許文献】
【０００６】
【特許文献１】特開昭６３−２６２１６１号公報
【特許文献２】特開平６−３３５５３５号公報
【発明の概要】
【発明が解決しようとする課題】
【０００７】
上記特許文献１に記載の加湿マスクでは、水分を含浸させた保水性の通気シートを挟むことにより加湿性能をもたせたものである。このため、保水のための水分があるあいだは、どうしても通気性が悪く、息苦しくなりやすいという問題がある。したがって、睡眠中、無意識のうちに外してしまい、結局喉の保護ができないという問題が生じる。また、水分が残っているあいだは加湿することができるものの、通気シートが乾燥してしまうと、加湿性能が得られない。加えて、鼻孔や口に対応する部分に呼吸孔があるため、通気シートが乾いてしまうと、呼吸孔から呼気が逃げてしまうため、呼気が含む水蒸気による保湿効果もあまり期待できない。このため、外してしまうことがなくても、睡眠のような長時間使用の間に通気シートが乾いてしまい、結局喉の保護ができないという問題が生じる。さらに、内マスク半体と外マスク半体の２重構造としたうえ、通気シートを挟むという複雑な構造を呈しており、製造コストを引き上げてしまうというのも問題視される。
【０００８】
上記特許文献２に記載のマスクは、鼻孔や口に対面する頂部に小孔が形成されているため、呼吸孔から呼気が逃げてしまうため、呼気が含む水蒸気による保湿効果があまり期待できず、結局喉の保護効果が低いことが問題視される。さらに、折畳可能な嘴状のカップ体に形成したうえ、フィルタを取り付けるなど、加工が複雑で、製造コストを引き上げてしまうという問題もある。
【０００９】
本発明は、上記課題を解決するためになされたものであり、確実に喉の保湿をすることができ、例えば睡眠時のような長時間使用でもトラブルが生じない保湿マスクを提供することをその目的とする。
【課題を解決するための手段】
【００１０】
上記の目的を達成するため、本発明の保湿マスクは、マスク本体が通気性のシート状素材から形成され、口と対面する領域の左右部に、それぞれ上下に細長く延びる第１息抜き開口が設けられ、上記両第１息抜き開口の間の口と対面する領域には、息抜き用の穴や開口が設けられていないことを要旨とする。
【発明の効果】
【００１１】
本発明の保湿マスクは、マスク本体が通気性のシート状素材から形成され、口と対面する領域には、息抜き用の穴や開口が設けられていないため、装着した状態で、口の前面は、通気性のシート状素材から形成されたマスク本体で覆われるため、呼気がマスク内に充満してその湿気により喉の乾燥が防止されて保湿される。
一方、口と対面する領域の左右部には、それぞれ上下に細長く延びる第１息抜き開口が設けられていることから、吸気の際には上記第１息抜き開口から空気が自然に導入され、息苦しさを全く感じない。また、長時間使用による保湿性能の低下の心配もない。したがって、例えば睡眠中であっても、無意識に外してしまうようなトラブルが避けられ、確実に喉を保湿して守ることができる。
また、老年期においては間接の動きが悪くなり、開口状態で口呼吸することが多くなる傾向にある。このような口呼吸によって、老齢者の口腔内は乾燥して唾液による自浄作用が低下し、粘膜に細菌が定着しやすく、増殖してしまうことになる。このように口腔内の細菌が増殖すると、誤嚥によって高濃度の菌が肺に転移し、誤嚥性肺炎を引き起こすこととなる。本発明の保湿マスクは、口腔内の乾燥を有効に防止し、上述した誤嚥性肺炎のような老齢者の二次的発病を有効に防止することができる。
【００１２】
本発明において、上記両第１息抜き開口の口と対面する領域側に、上記第１息抜き開口に沿って上下に延びる第１形状保持部材が取り付けられている場合には、
上記第１形状保持部材で口と対面する領域の両側の形状を保持することにより、マスク本体と口との直接接触を有効に防止し、使用感の悪化を防ぐとともに、第１息抜き開口が塞がって息苦しくなるのが防止される。これにより、無意識に外してしまうことが有効に防止される。さらに、マスク本体を清潔に保つこともできる。
【００１３】
本発明において、上記両第１息抜き開口の間の、口と対面する領域の上部に、左右に細長く延びる第２息抜き開口が設けられている場合には、
鼻での呼吸を行う際に、第２息抜き開口から空気が自然に導入され、息苦しさを全く感じない。したがって、例えば睡眠中であっても、無意識に外してしまうようなトラブルが避けられ、確実に喉を保湿して守ることができる。
この場合において、上記第１形状保持部材で口と対面する領域の両側の形状を保持することにより、第２息抜き開口の開口状態を保持することができ、第２息抜き開口が塞がって息苦しくなるのが防止される。
【図面の簡単な説明】
【００１４】
【図１】本発明の第１実施形態における保湿マスクの全体構造を示す図である。
【発明を実施するための形態】
【００１５】
以下、本発明の保湿マスクの実施形態について詳細に説明する。
【００１６】
図１は、本実施形態の保湿マスク１の全体構造を示す図である。（Ａ）は使用前の平たい状態、（Ｂ）は使用するために顔に沿って変形させた状態、（Ｃ）は中央部の縦断面を示す。
【００１７】
この例では、全体として長方形に形成されたマスク本体２の左右の短辺部に、ゴムひも製の耳紐３が取り付けられて構成されている。
【００１８】
上記マスク本体２は、マスク本体２が通気性のシート状素材から形成されている。上記通気性のシート状素材としては、例えば、不織布、ガーゼ、紙、ニット、織布、フェルト、多孔性樹脂フィルム等、呼吸による通気性をある程度確保しうるものであれば各種のものを用いることができる。
【００１９】
上記マスク本体２には、口と対面する領域Ａの左右部に、それぞれ上下に細長く延びる第１息抜き開口４が設けられている。上記第１息抜き開口４は、使用前の平たい状態では切れ込みとして形成することができ、使用するために顔に沿って変形させることにより、略スリット状の開口を形成することができる。なお、使用前の平たい状態でスリット状の開口とすることもできる。
【００２０】
そして、上記両第１息抜き開口４の間の口と対面する領域Ａには、息抜き用の穴や開口が設けられていない。
【００２１】
上記口と対面する領域Ａには、この例では、左右に延びる複数のプリーツ８が設けられている。上記プリーツ８は、マスク本体２を構成するシート状素材を同じ方向に折り曲げて形成することもできるし、異なる方向に折り曲げて形成することもできる。好ましくは、（Ｃ）に示すように、口と対面する領域Ａの外側に膨らむプリーツ部が形成されるように、上部のプリーツ８を上向きの山折、下部のプリーツ８を下きの山折として互いに反対向けの山折とするのが好ましい。
【００２２】
また、上記両第１息抜き開口４の口と対面する領域Ａ側に、上記第１息抜き開口４に沿って上下に延びる第１形状保持部材５が取り付けられている。
【００２３】
上記第１形状保持部材５としては、例えば細長い針金や樹脂製の細線材等、塑性変形によりある程度の曲げ形状を保持できるものであれば、各種のものを用いることができる。上記第１形状保持部材５は、接着剤、溶着等の手法によりマスク本体２に取り付けることができる。
【００２４】
上記両第１形状保持部材５を折り曲げることにより、マスク本体２の口と対面する領域Ａが口と直接接触しないように保持するとともに、第１息抜き開口４の開口状態を保持するようになっている。このとき、上述したように、上下のプリーツ８を互いに反対向けの山折としておけば、口と対面する領域Ａを口と接触させず、第１息抜き開口４の開口状態を維持するようマスク本体２の形状を保持しやすくなる。
【００２５】
さらに、上記マスク本体２には、上記両第１息抜き開口４の間の、口と対面する領域Ａの上部に、左右に細長く延びる第２息抜き開口６が設けられている。上記第２息抜き開口６は、使用前の平たい状態では切れ込みとして形成することができ、使用するために顔に沿って変形させることにより、略スリット状の開口を形成することができる。なお、使用前の平たい状態でスリット状の開口とすることもできる。
【００２６】
また、上記第２息抜き開口６の口と対面する領域Ａと反対側に、上記第２息抜き開口６に沿って左右に延びる第２形状保持部材７が取り付けられている。上記第２形状保持部材７の材質や取り付け方法は、第１形状保持部材５と同様のものを採用することができる。
【００２７】
そして、上記第２形状保持部材７を顔に沿って折り曲げることにより、マスク本体２の口と対面する領域Ａが口と直接接触しないように保持するとともに、第２息抜き開口６の開口状態を保持するようになっている。
【００２８】
以上のように、本実施形態の保湿マスク１は、マスク本体２が通気性のシート状素材から形成され、口と対面する領域Ａには、息抜き用の穴や開口が設けられていないため、装着した状態で、口の前面は、通気性のシート状素材から形成されたマスク本体２で覆われるため、呼気がマスク内に充満してその湿気により喉の乾燥が防止されて保湿される。
一方、口と対面する領域Ａの左右部には、それぞれ上下に細長く延びる第１息抜き開口４が設けられていることから、吸気の際には上記第１息抜き開口４から空気が自然に導入され、息苦しさを全く感じない。また、長時間使用による保湿性能の低下の心配もない。したがって、例えば睡眠中であっても、無意識に外してしまうようなトラブルが避けられ、確実に喉を保湿して守ることができる。
また、老年期においては間接の動きが悪くなり、開口状態で口呼吸することが多くなる傾向にある。このような口呼吸によって、老齢者の口腔内は乾燥して唾液による自浄作用が低下し、粘膜に細菌が定着しやすく、増殖してしまうことになる。このように口腔内の細菌が増殖すると、誤嚥によって高濃度の菌が肺に転移し、誤嚥性肺炎を引き起こすこととなる。本発明の保湿マスクは、口腔内の乾燥を有効に防止し、上述した誤嚥性肺炎のような老齢者の二次的発病を有効に防止することができる。
【００２９】
また、上記両第１息抜き開口４の口と対面する領域Ａ側に、上記第１息抜き開口４に沿って上下に延びる第１形状保持部材５が取り付けられている場合には、
上記第１形状保持部材５で口と対面する領域Ａの両側の形状を保持することにより、マスク本体２と口との直接接触を有効に防止し、使用感の悪化を防ぐとともに、第１息抜き開口４が塞がって息苦しくなるのが防止される。これにより、無意識に外してしまうことが有効に防止される。さらに、マスク本体２を清潔に保つこともできる。
【００３０】
また、上記両第１息抜き開口４の間の、口と対面する領域Ａの上部に、左右に細長く延びる第２息抜き開口６が設けられている場合には、
鼻での呼吸を行う際に、第２息抜き開口６から空気が自然に導入され、息苦しさを全く感じない。したがって、例えば睡眠中であっても、無意識に外してしまうようなトラブルが避けられ、確実に喉を保湿して守ることができる。
この場合において、上記第１形状保持部材５で口と対面する領域Ａの両側の形状を保持することにより、第２息抜き開口６の開口状態を保持することができ、第２息抜き開口６が塞がって息苦しくなるのが防止される。
【００３１】
なお、上述した実施形態では、マスク本体２を長方形としたが、これに限定するものではなく、ひし形や楕円形等の任意の形状とすることもできる。また、マスク本体２に耳紐３を取り付けるようにしたが、マスク本体を大きめに形成して切れ込みや開口を形成することにより、耳掛け部を形成するようにしてもよい。また、耳紐３を耳に掛けたときに耳が痛くならないように耳紐３を太くしたり、耳に掛ける耳紐３ではなく、後頭部で結ぶ紐や、後頭部で接合するテープとすることもできる。
【符号の説明】
【００３２】
１：保湿マスク
２：マスク本体
３：耳紐
４：第１息抜き開口
５：第１形状保持部材
６：第２息抜き開口
７：第２形状保持部材
８：プリーツ
Ａ：口と対面する領域
【図１】
2012040163.tif 000003